(57)【要約】【課題】放射性核種を含む廃棄物から極めて効率良く放射性核種を回収することができる放射性核種濃縮回収方法及び回収システムを提供する。【解決手段】セシウムを含む廃棄物を乾燥炉１１０内で３００℃〜４００℃に加熱して廃棄物の含水率を１０％以下まで乾燥させる乾燥工程１を備える。乾燥した廃棄物を７００℃以上の温度で燃焼させ、シャワー状に散水される２７℃以下の冷水にセシウムを捕捉し一定の濃度になるまで該冷水を循環させる捕捉工程２を備える。セシウムを捕捉した汚染水を処理タンク内で加熱濃縮し、分離された蒸留水を排水タンクに貯留する濃縮工程３を備える。廃棄物に含まれたセシウムを水分中に捕捉した後濃縮回収する。【選択図】  図１
2013217758.tif 000002
【特許請求の範囲】
【請求項１】
廃棄物に含まれた放射性核種を水分中に捕捉した後濃縮回収する方法であって、
放射性核種を含む廃棄物を加熱して廃棄物の含水率を１０％以下まで乾燥させる乾燥手段と、
乾燥した廃棄物に含まれている放射性核種の沸点温度以上で燃焼せしめ廃棄物中の放射性核種を気化させる燃焼手段と、
気化した放射性核種を含む燃焼ガスを冷却した後、該燃焼ガスに放射性核種の融点温度以下の冷水を散水して燃焼ガス中の放射性核種を水分中に捕捉する捕捉手段と、
放射性核種を捕捉した汚染水を加熱蒸発させて濃縮する濃縮手段と、
を有し濃縮された汚染水を回収することを特徴とする放射性核種濃縮回収方法。
【請求項２】
前記放射性核種濃縮回収方法において、前記放射性核種をセシウムとし、セシウムを含む廃棄物を乾燥炉内で３００℃〜４００℃に加熱し、加熱された廃棄物から排出された蒸気を熱交換器で気液分離し、分離された気体を消臭ヒータにて加熱した後に再び乾燥炉に戻し、分離された蒸留水を排水タンクに貯留して廃棄物の含水率を１０％以下まで乾燥させる乾燥工程と、
乾燥した廃棄物を７００℃以上の温度で燃焼せしめ、気化した燃焼ガスを熱交換器で急冷却した後に洗浄塔内に送風し、該洗浄塔内でシャワー状に散水される２７℃以下の冷水にセシウムを捕捉し一定の濃度になるまで該冷水を循環させる捕捉工程と、
冷水にセシウムを捕捉した汚染水を処理タンク内で加熱蒸発させて濃縮し、発生した蒸気を熱交換器で結露除湿せしめ、分離された気体を消臭ヒータにて加熱した後に再び処理タンクに戻し、分離された蒸留水を排水タンクに貯留する濃縮工程と、を備えた請求項１記載の放射性核種濃縮回収方法。
【請求項３】
廃棄物に含まれた放射性核種を水分中に捕捉した後濃縮回収するシステムであって、放射性核種を含む廃棄物を加熱する乾燥炉と、加熱された廃棄物から排出された蒸気を気液分離する熱交換器と、分離された気体を乾燥炉に戻す前に再加熱する消臭ヒータと、分離された蒸留水を貯留する排水タンクとを備え、廃棄物の含水率を１０％以下まで乾燥させる乾燥装置を有し、
乾燥した廃棄物に含まれている放射性核種の沸点温度以上で燃焼する燃焼炉と、急冷却された燃焼ガスに放射性核種の融点温度以下の冷水を散水して該冷水に放射性核種を捕捉し一定の濃度の汚染水になるまで該冷水を循環させて散水する洗浄塔とを備えた燃焼捕捉装置を有し、
汚染水を加熱して濃縮する処理タンクと、汚染水から発生した蒸気を気液分離する熱交換器と、分離された気体を処理タンクに戻す前に再加熱する消臭ヒータと、分離された蒸留水を貯留する排水タンクとを備えた濃縮装置を有することを特徴とする放射性核種濃縮回収システム。
【請求項４】
前記放射性核種濃縮回収システムにおいて、前記放射性核種をセシウムとし、前記燃焼捕捉装置は、乾燥した廃棄物を７００℃以上の温度で燃焼せしめ、気化した燃焼ガスを熱交換器で急冷却した後に洗浄塔内に送風し、該洗浄塔内でシャワー状に散水される２７℃以下の冷水にセシウムを捕捉し一定の濃度になるまで該冷水を循環させて散水する工程とする請求項３記載の放射性核種濃縮回収システム。
【請求項５】
前記乾燥装置において、前記乾燥炉内部の廃棄物を撹拌する撹拌羽根と、撹拌されている廃棄物を加熱する加熱器と、前記乾燥炉の上部に設けられ、該上部に結露した水滴を乾燥炉内の周壁部分に配置された結露受け部に流すように構成されたドーム状の天板傘と、を備えた請求項３又は４記載の放射性核種濃縮回収システム。
【請求項６】
前記燃焼捕捉装置において、前記洗浄塔から排出される燃焼ガスを水中に爆気する水中爆気槽と、爆気された燃焼ガスをろ過するフィルターとを備えた請求項３又は４記載の放射性核種濃縮回収システム。
【請求項７】
前記濃縮装置において、前記処理タンク内部の汚染水を撹拌する撹拌羽根と、撹拌されている汚染水を加熱する加熱ヒータと、前記処理タンクの上部に設けられ、該上部に結露した水滴を処理タンク内の周壁部分に配置された結露受け部に流すように構成されたドーム状の天板傘と、を備えた請求項３又は４記載の放射性核種濃縮回収システム。
【発明の詳細な説明】
【技術分野】
【０００１】
本発明は、放射性核種を含む生ゴミ、排水汚泥、糞尿汚泥、剪定枝等の廃棄物からセシウム等の放射性核種を濃縮して回収する放射性核種濃縮回収方法及び回収システムに関するものである。
【背景技術】
【０００２】
放射性核種を含む廃棄物の処理方法についての従来技術は特許文献１に記載されている。この処理方法は、放射性核種を含む廃棄物を加熱炉で乾留し、灰化、溶融の各処理を順次行う際に、還流ガスを熱交換器で冷却し、乾留ガス中の放射性核種の揮発状物等と、放射性核種を同伴しているタール成分の気化状物をそれぞれ固化、液化分離して加熱炉に循環する方法である。
【０００３】
すなわち、これらを残留物と共に再乾留する乾留処理を繰り返すことにより、放射性核種を加熱炉内に濃縮し、燃焼ガスと溶融ガスをそれぞれ熱交換器で冷却し、これらのガス中の放射性核種を捕集し、残余の放射性核種を溶融物中に包み込むことで減容し固化する方法である。
【先行技術文献】
【特許文献】
【０００４】
【特許文献１】特公平４‐５２４３８号公報
【発明の概要】
【発明が解決しようとする課題】
【０００５】
特許文献１に示された従来の処理方法は、乾留ガス中の放射性核種の揮発状物等と、放射性核種を同伴しているタール成分の気化状物をそれぞれ固化、液化分離して加熱炉に循環し、これらを残留物と共に再乾留する乾留処理を繰り返す方法にある。そのため、ガス中の放射性核種を捕集し、残余の放射性核種を溶融物中に包み込むまでに、乾留処理を何度も繰り返す必要があり、処理時間が極めて長くなる不都合があった。
【０００６】
しかも、乾留には、空気を遮断した状態で強加熱するために多量のエネルギーを要する。そのため、この乾留工程を何度も繰り返す処理方法は、極めて多量のエネルギーを消費するといった問題もあった。
【０００７】
そこで、本発明は上述の課題を解消すべく創出されたもので、放射性核種を含む廃棄物から極めて効率良く放射性核種を回収することができる放射性核種濃縮回収方法及び回収システムの提供を目的とするものである。
【課題を解決するための手段】
【０００８】
上述の目的を達成すべく本発明における第１の手段は、廃棄物に含まれた放射性核種を水分中に捕捉した後濃縮回収する方法であって、放射性核種を含む廃棄物を加熱して廃棄物の含水率を１０％以下まで乾燥させる乾燥手段と、乾燥した廃棄物に含まれている放射性核種の沸点温度以上で燃焼せしめ廃棄物中の放射性核種を気化させる燃焼手段と、気化した放射性核種を含む燃焼ガスを冷却した後、該燃焼ガスに放射性核種の融点温度以下の冷水を散水して燃焼ガス中の放射性核種を水分中に捕捉する捕捉手段と、放射性核種を捕捉した汚染水を加熱蒸発させて濃縮する濃縮手段と、を有し濃縮された汚染水を回収する回収方法にある。
【０００９】
第２の手段は、前記回収方法において、前記放射性核種をセシウムとし、セシウムを含む廃棄物を乾燥炉１１０内で３００℃〜４００℃に加熱し、加熱された廃棄物から排出された蒸気を熱交換器１２０で気液分離し、分離された気体を消臭ヒータ１３０にて加熱した後に再び乾燥炉１１０に戻し、分離された蒸留水を排水タンク１４０に貯留して廃棄物の含水率を１０％以下まで乾燥させる乾燥工程１と、乾燥した廃棄物を７００℃以上の温度で燃焼せしめ、気化した燃焼ガスを熱交換器２２０で急冷却した後に洗浄塔２３０内に送風し、該洗浄塔２３０内でシャワー状に散水される２７℃以下の冷水にセシウムを捕捉し一定の濃度になるまで該冷水を循環させる捕捉工程２と、冷水にセシウムを捕捉した汚染水を処理タンク３１０内で加熱濃縮し、発生した蒸気を熱交換器３２０で結露除湿せしめ、分離された気体を消臭ヒータ３３０にて加熱した後に再び処理タンク３１０に戻し、分離された蒸留水を排水タンク３４０に貯留する濃縮工程３と、を備えた回収方法にある。
【００１０】
第３の手段は、廃棄物に含まれた放射性核種を水分中に捕捉した後濃縮回収するシステムであって、放射性核種を含む廃棄物を加熱する乾燥炉１１０と、加熱された廃棄物から排出された蒸気を気液分離する熱交換器１２０と、分離された気体を乾燥炉に戻す前に再加熱する消臭ヒータ１３０と、分離された蒸留水を貯留する排水タンク１４０とを備え、廃棄物の含水率を１０％以下まで乾燥させる乾燥装置１００を有し、乾燥した廃棄物に含まれている放射性核種の沸点温度以上で燃焼する燃焼炉２１０と、急冷却された燃焼ガスに放射性核種の融点温度以下の冷水を散水して該冷水に放射性核種を捕捉し一定の濃度の汚染水になるまで該冷水を循環させて散水する洗浄塔２３０とを備えた燃焼捕捉装置２００を有し、汚染水を加熱して濃縮する処理タンク３１０と、汚染水から発生した蒸気を気液分離する熱交換器３２０と、分離された気体を処理タンク３１０に戻す前に再加熱する消臭ヒータ３３０と、分離された蒸留水を貯留する排水タンク３４０とを備えた濃縮装置３００を有する回収システムにある。
【００１１】
第４の手段は、前記回収システムにおいて、前記放射性核種をセシウムとし、前記燃焼捕捉装置２００は、乾燥した廃棄物を７００℃以上の温度で燃焼せしめ、気化した燃焼ガスを熱交換器２２０で急冷却した後に洗浄塔２３０内に送風し、該洗浄塔２３０内でシャワー状に散水される２７℃以下の冷水にセシウムを捕捉し一定の濃度になるまで該冷水を循環させて散水する工程とするものである。
【００１２】
第５の手段は、前記乾燥装置１００において、前記乾燥炉１１０内部の廃棄物を撹拌する撹拌羽根１１１と、撹拌されている廃棄物を加熱する加熱器１１２と、前記乾燥炉１１０の上部に設けられ、該上部に結露した水滴を乾燥炉１１０内の周壁部分に配置された結露受け部１１４に流すように構成されたドーム状の天板傘１１３と、を備えた装置とする。
【００１３】
第６の手段は、前記燃焼捕捉装置２００において、前記洗浄塔２１０から排出される燃焼ガスを水中に爆気する水中爆気槽２４０と、爆気された燃焼ガスをろ過するフィルター２５０とを備えた装置である。
【００１４】
第７の手段は、前記濃縮装置３００において、前記処理タンク３１０内部の汚染水を撹拌する撹拌羽根３１１と、撹拌されている汚染水を加熱する加熱ヒータ３１２と、前記処理タンク３１０の上部に設けられ、該上部に結露した水滴を処理タンク３１０内の周壁部分に配置された結露受け部３１４に流すように構成されたドーム状の天板傘３１３と、を備えた装置で構成してある。
【発明の効果】
【００１５】
本発明の請求項１のごとく、廃棄物に含まれた放射性核種を水分中に捕捉した後濃縮回収する方法により、放射性核種を含む廃棄物から極めて効率良く放射性核種を回収することができる。
【００１６】
すなわち、乾燥手段では、放射性核種を含む廃棄物を加熱して乾燥させると、含水率を１０％以下になるまで放射性核種は気化せず、乾燥した廃棄物の中に残留する。次に、燃焼手段により、乾燥した廃棄物に含まれている放射性核種の沸点温度以上で燃焼することで、廃棄物中の放射性核種を気化させ、廃棄物から分離することができる。更に、捕捉手段によって、気化した放射性核種を含む燃焼ガスを冷却した後、該燃焼ガスに放射性核種の融点温度以下の冷水を散水することで、燃焼ガス中の放射性核種を水分中に捕捉するものである。そして、濃縮手段で放射性核種を捕捉した汚染水を蒸留して濃縮し、減容した状態にした後、濃縮された汚染水を回収することができるものである。
【００１７】
請求項２の回収方法によると、放射性核種を含む廃棄物の中からセシウムを分離回収することができる。すなわち、乾燥工程により、放射性核種を含む廃棄物を３００℃〜４００℃に加熱するので、放射性核種は気化せず、乾燥した廃棄物中にセシウムを閉じ込める。次に、捕捉工程により、７００℃以上の温度で燃焼して乾燥した廃棄物からセシウムを気化させ、２７℃以下の冷水にセシウムを捕捉する。そして、濃縮工程により、セシウムを捕捉した汚染水を加熱濃縮し、減容した状態でセシウムを回収することができる。
【００１８】
請求項３の回収装置のごとく、廃棄物に含まれた放射性核種を水分中に取り込み濃縮回収するシステムにより、放射性核種を含む廃棄物から極めて効率良く放射性核種を回収することができる。
【００１９】
すなわち、乾燥装置１００により、廃棄物の含水率を１０％以下まで乾燥させることができる。次に、燃焼捕捉装置２００により、気化した放射性核種を冷水に捕捉することができる。そして、濃縮装置３００により、汚染水を加熱して気液分離し、濃縮することができるものである。
【００２０】
請求項４の回収装置によると、廃棄物に含まれたセシウムを水分中に取り込み、該セシウムを効率良く回収することができる。
【００２１】
請求項５に記載された乾燥装置１００により、廃棄物の含水率を１０％以下まで効率良く乾燥させることができる。
【００２２】
請求項６に記載の燃焼捕捉装置２００によると、気化した放射性核種を冷水に捕捉する工程を効率良く行うことができる。
【００２３】
請求項７に記載の濃縮装置３００により、放射性核種を捕捉した汚染水を蒸留して濃縮し、減容した状態にした後、濃縮された汚染水を回収する工程を効率良く行うことができる。
【図面の簡単な説明】
【００２４】
【図１】本発明の回収方法を示すブロック図である。
【図２】本発明の乾燥装置の一実施例を示す概略図である。
【図３】本発明の燃焼捕捉装置の一実施例を示す概略図である。
【図４】本発明の濃縮装置の一実施例を示す概略図である。
【発明を実施するための形態】
【００２５】
本発明によると、放射性核種を含む廃棄物から極めて効率良く放射性核種を回収することができるなどといった当初の目的を達成した。
【実施例】
【００２６】
以下、本発明の実施例を説明する。本発明回収方法は、放射性核種を含む生ゴミ、排水汚泥、糞尿汚泥、剪定枝等の廃棄物から、放射性核種を水分中に捕捉した後濃縮回収する回収方法である。
【００２７】
すなわち、廃棄物の水分を除去する乾燥手段と、廃棄物中の放射性核種を気化させる燃焼手段と、放射性核種を水分中に捕捉する捕捉手段と、捕捉した汚染水を濃縮する濃縮手段とを備える回収方法である。
【００２８】
乾燥手段は、放射性核種を含む廃棄物を加熱して廃棄物の含水率を１０％以下まで乾燥させる手段である。この温度では、セシウムやストロンチウムが気化することなく、廃棄物の水分のみを蒸発させることができる。
【００２９】
燃焼手段は、乾燥した廃棄物に含まれている放射性核種の沸点温度以上で燃焼することで、廃棄物中の放射性核種を気化させる手段である。例えば、セシウム137の沸点は６７８．５℃なのでおよそ７００℃以上の温度で燃焼し、ストロンチウム90の沸点は１，３８４℃であるから１，４００℃以上の高温で燃焼する。
【００３０】
捕捉手段は、気化した放射性核種を含む燃焼ガスを冷却して９０℃以下に戻す。その後、この燃焼ガスに放射性核種の融点温度以下の冷水を散水して燃焼ガス中の放射性核種を水分中に捕捉する手段である。例えば、セシウム137の融点は２８．４℃であるから、この温度以下の冷水にて液状化し、例水中に取り込む。また、ストロンチウムの融点は７６９℃であるから、沸騰した湯でも取り込むことが可能である。
【００３１】
濃縮手段は、放射性核種を捕捉した汚染水を加熱蒸発させて濃縮する手段である。この濃縮回収手段は、原子力発電所内で使用済みの汚染水を加熱蒸発させて回収する手段と基本的に同種の手段であり、汚染水を十分に濃縮して減容した後に、濃縮された汚染水を回収する。
【００３２】
図１は、本発明回収方法により、セシウムを回収する工程を示している。すなわち、乾燥工程１、捕捉工程２、濃縮工程３の後、セシウムを回収する方法である。
【００３３】
乾燥工程１は、放射性核種を含む廃棄物を乾燥炉１１０内で３００℃〜４００℃に加熱し、加熱された廃棄物から排出された蒸気を熱交換器１２０で気液分離する。そして、気液分離された気体を消臭ヒータ１３０にて加熱した後に再び乾燥炉１１０に戻す。一方、気液分離された蒸留水は、排水タンク１４０に貯留する。このように、廃棄物を加熱して水分を蒸発させることで、廃棄物の含水率を１０％以下まで乾燥させる。
【００３４】
捕捉工程２では、まず乾燥した廃棄物を７００℃以上の温度で燃焼せしめることで、セシウムを気化する。次に、気化した燃焼ガスを熱交換器２２０で急冷却して９０℃以下に戻した後に、洗浄塔２３０内に送風する。この洗浄塔２３０の内部では、２７℃以下の冷水をシャワー状に散水しており、燃焼ガス中に含まれているセシウムを液化して冷水中にセシウムを捕捉する。セシウムを捕捉した冷水は、一定の濃度になるまで洗浄塔２３０内を循環させることで、一定の濃度の汚染水を得る。
【００３５】
濃縮工程３は、捕捉工程２で得た一定の濃度の汚染水を更に濃縮する工程である。すなわち、この汚染水を処理タンク３１０内に投入し、処理タンク３１０内で加熱し、発生した水蒸気を熱交換器３２０で結露除湿することで気液分離し、汚染水を濃縮する。このとき、分離された気体は、消臭ヒータ３３０にて加熱した後に、再び処理タンク３１０に戻される。一方、分離された蒸留水は、排水タンク３４０に貯留され、放射性核種の残留がないことを確認した後に外部に排出される。
【００３６】
図２乃至図４は、本発明回収システムに使用する各装置を示している。本発明回収システムの構成は、乾燥装置１００、燃焼捕捉装置２００、濃縮装置３００を組み合せたものである。
【００３７】
乾燥装置１００には、放射性核種を含む廃棄物を加熱する乾燥炉１１０を設けている（図２参照）。そして、加熱された廃棄物から排出された蒸気を気液分離する熱交換器１２０を備え、分離された気体は、消臭ヒータ１３０にて再加熱され、再び乾燥炉１１０に戻される。一方、気液分離された蒸留水は、排水タンク１４０に貯留される。このようにして、乾燥炉１１０内に残った廃棄物の含水率を１０％以下になるまで乾燥させる装置である。
【００３８】
図示例の乾燥装置１００は、乾燥炉１１０の内部に、廃棄物を撹拌する撹拌羽根１１１を備え、乾燥炉１１０の底部に廃棄物を加熱する加熱器１１２を備えている（図２参照）。この加熱器１１２は、熱媒体を加熱して温度をコントロールするものである。更に、乾燥炉１１０の上部には、この上部に結露した水滴を乾燥炉１１０内の周壁部分に配置された結露受け部１１４に流すドーム状の天板傘１１３が設けられている。この天板傘１１３により、乾燥炉１１０の上部に発生した水滴が燃焼時の廃棄物の上に落下して燃焼温度を下げることがないので、効率良く乾燥させることができる。尚、結露受け部１１４の水滴は、冷却器１６０を経て排水タンク１４０に入る。
【００３９】
燃焼捕捉装置２００には、乾燥した廃棄物に含まれている放射性核種の沸点温度以上で燃焼する燃焼炉２１０を設けている（図３参照）。この燃焼炉２１０により、乾燥させた廃棄物を高温で燃焼させるものである。廃棄物に１０％以上の水分が残っていると、高温で燃焼させることが困難になるので、この燃焼炉２１０には、乾燥炉１１０で含水率が１０％以下になった廃棄物のみを燃焼させるものである。燃焼時に生じる燃焼ガスは、熱交換器２２０にて急冷却し、９０℃以下に戻した後に、洗浄塔２３０に送風される。この洗浄塔２３０では、燃焼ガスに含まれている放射性核種の融点温度以下の冷水を散水しており、９０℃以下に戻された燃焼ガス中の放射性核種をこの冷水に捕捉するものである。更に、放射性核種を捕捉した冷水は、一定の濃度の汚染水になるまで洗浄塔２３０を循環させる。
【００４０】
燃焼捕捉装置２００で回収する放射性核種をセシウムとした場合、燃焼捕捉装置２００では、乾燥した廃棄物を７００℃以上の温度で燃焼する。そして、気化した燃焼ガスを熱交換器２２０で急冷却した後に洗浄塔２３０内に送風し、この洗浄塔２３０内で、シャワーノズル２３１からシャワー状に散水される２７℃以下の冷水でセシウムを捕捉するものである（図３参照）。
【００４１】
図示の燃焼捕捉装置２００には、洗浄塔２３０から排出される燃焼ガスを水中に爆気する水中爆気槽２４０が備えられている（図３参照）。この水中爆気槽２４０により、冷水に捕捉されなかった放射性核種を水中に取り込むものである。更に、爆気された燃焼ガスをろ過するフィルター２５０を備えており、万が一、水中爆気槽２４０に捕捉されない放射性核種が僅かに残っていても、このフィルター２５０にて完全に捕捉することができる。尚、これら洗浄塔２３０及び水中爆気槽２４０は、冷水ポンプ２６０にて稼動する空冷チラー２７０の冷水を冷却管２８０、２９０に循環させている。
【００４２】
濃縮装置３００は、放射性核種を捕捉して一定の濃度になった汚染水を加熱して更に濃縮する処理タンク３１０を備えている（図４参照）。このとき汚染水から発生した蒸気は、熱交換器３２０によって気液分離される。分離された気体は、消臭ヒータ３３０で再加熱された後に処理タンク３１０に戻される。一方、分離された蒸留水は、排水タンク３４０に貯留される。
【００４３】
図示例の濃縮装置３００には、汚染水槽３９０内から処理タンク３１０内に送られた汚染水を撹拌する撹拌羽根３１１が処理タンク３１０の内部に備えられ、撹拌されている汚染水を加熱する加熱ヒータ３１２が処理タンク３１０の底部に備えられている（図４参照）。更に、処理タンク３１０の上部に天板傘３１３が設けられている。この天板傘３１３は、処理タンク３１０の上部に結露した水滴を処理タンク３１０内の周壁部分に配置された結露受け部３１４に流すことで、気液分離を促進させることができる。結露した水分は、冷却器３８０を経て冷却され排水タンク３４０に入る。処理タンク３１０で濃縮された汚染水は、濃縮容器３６０に貯留され、冷水循環ポンプ３５１で稼動する冷水チラー３５０の冷水で冷却後、濃縮液取り出し弁３６１から取り出すものである。
【産業上の利用可能性】
【００４４】
本発明の実施例において、補足する放射性核種としてセシウムやストロンチウムを対象に説明しているが、焼却温度や冷水の設定温度を変更することで、他の放射性核種を捕捉することも可能である。
【符号の説明】
【００４５】
１  乾燥工程
２  捕捉工程
３  濃縮工程
１００  乾燥装置
１１０  乾燥炉
１１１  撹拌羽根
１１２  加熱器
１１３  天板傘
１１４  結露受け部
１２０  熱交換器
１３０  消臭ヒータ
１４０  排水タンク
１５０  フィルター
１６０  冷却器
１７０  排風機
２００  燃焼捕捉装置
２１０  燃焼炉
２２０  熱交換器
２３０  洗浄塔
２３１  シャワーノズル
２４０  水中爆気槽
２５０  フィルター
２６０  冷水ポンプ
２７０  空冷チラー
２８０  冷却管
２９０  冷却管
３００  濃縮装置
３１０  処理タンク
３１１  撹拌羽根
３１２  加熱ヒータ
３２０  熱交換器
３３０  消臭ヒータ
３４０  排水タンク
３５０  冷水チラー
３５１  冷水循環ポンプ
３６０  濃縮容器
３６１  濃縮液取り出し弁
３７０  フィルター
３８０  冷却器
３９０  汚染水槽
【図１】
2013217758.tif 000003
【図２】
2013217758.tif 000004
【図３】
2013217758.tif 000005
【図４】
2013217758.tif 000006